(57)【要約】      （修正有）【課題】苗の初期生育の過程においても根に水分を円滑に吸収させることができ、よって初期生育においても根に水分を円滑に補給して伸長を促進させることが可能になるカンゾウ属植物の育成方法を提供する。【解決手段】カンゾウ属植物の育成方法は、予備育成用容器１内においてカンゾウ属植物の苗を発育させて定植苗とした後に、予備育成用容器１の底部を除去して筒状にし、次いで予備育成用容器１を畝７に形成した凹部内に設置して予備育成用容器１内の上記カンゾウ属植物の根６ａを畝７に活着させることを特徴とする。【選択図】図４
2017195808.tif 000002
【特許請求の範囲】
【請求項１】
予備育成用容器内においてカンゾウ属植物の苗を発育させて定植苗とした後に、当該予備育成用容器の底部を除去して筒状にし、次いで上記予備育成用容器を畝に形成した凹部内に設置して上記予備育成用容器内の上記カンゾウ属植物の根を上記畝に活着させることを特徴とするカンゾウ属植物の育成方法。
【請求項２】
上記予備育成用容器内において上記カンゾウ属植物の種から上記定植苗を育成することを特徴とする請求項１に記載のカンゾウ属植物の育成方法。
【請求項３】
上記予備育成用容器として、上記根を通過させず、かつ透水性を有する素材からなるポットまたは可撓性を有する袋を用いたことを特徴とする請求項１または２に記載のカンゾウ属植物の育成方法。
【請求項４】
上記予備育成用容器として、生分解性樹脂からなるポットを用いたことを特徴とする請求項１または２に記載のカンゾウ属植物の育成方法。
【発明の詳細な説明】
【技術分野】
【０００１】
本発明は、特に初期生育において根を円滑に伸長させることが可能になるカンゾウ属植物の育成方法に関するものである。
【背景技術】
【０００２】
マメ科の多年草であるカンゾウ属植物の根や根茎（以下、「ストロン」ともいう。）を乾燥することによって得られる甘草は、肝臓障害やアレルギー等に有効であるとともに消炎作用も有するグリチルリチンを多く含有することから、治療用の内服薬や輸液等の医薬の原料として広く用いられている。また、上記グリチルリチンに加えて、ブドウ糖やショ糖も含まれるために甘味料の原料としても用いられている。
【０００３】
このようなカンゾウ属植物における有効成分は、その根に多く含まれていることが知られている。そこで、例えば下記特許文献１においては、育苗用栽培容器にてカンゾウ属植物を予備栽培して所定の大きさまでカンゾウ根を生育させ、所定高さの畝に被せた水を通さないシートに栽培用孔を開け、カンゾウ根を、その上部にある茎・葉及びストロンの成長点が畝の表面より上方に位置するように、栽培用孔を通して畝に植えることにより、カンゾウ根のストロンの生育を抑制しつつ、カンゾウ属植物の根部を、水分をコントロールした畝にて生育させて根部を主に肥大化させるようにしたカンゾウ属植物の栽培方法が提案されている。
【０００４】
また、下記特許文献２においても、同様のカンゾウ属植物の栽培方法が開示されている。
【先行技術文献】
【特許文献】
【０００５】
【特許文献１】特許第５５６７５１１号公報
【特許文献２】特許第５６４６３６４号公報
【発明の概要】
【発明が解決しようとする課題】
【０００６】
ところが、上記従来のカンゾウ属植物の栽培方法にあっては、カンゾウのストロンの生育を抑制することはできるものの、カンゾウ根が育苗用栽培容器から下方の圃場に活着して十分な水分の吸収が始まるまでの初期生育の過程において、育苗用栽培容器によって圃場からの水分の毛管連絡が遮断されてしまうために上記カンゾウ根の伸長が悪く、またその後の生育にも悪影響を与えてしまうという問題点があった。
【０００７】
加えて、図５に示すように、上記カンゾウ根の生育に伴って、当該根１０が育苗用栽培容器１１の底部１１ａの中央部に穿設した穴１２に進入しづらいために、容器１１の底面１１ａに沿って蜷局を巻いてしまう結果、同様に圃場からの水分の供給が円滑に行われなくなってしまうという問題点もあった。
【０００８】
本発明は、上記事情に鑑みてなされたものであり、苗の初期生育の過程においても根に水分を円滑に吸収させることができ、よって初期生育においても根に水分を円滑に補給して伸長を促進させることが可能になるカンゾウ属植物の育成方法を提供することを課題とするものである。
【課題を解決するための手段】
【０００９】
上記課題を解決するため、請求項１に記載の本発明に係るカンゾウ属植物の育成方法は、予備育成用容器内においてカンゾウ属植物の苗を発育させて定植苗とした後に、当該予備育成用容器の底部を除去して筒状にし、次いで上記予備育成用容器を畝に形成した凹部内に設置して上記予備育成用容器内の上記カンゾウ属植物の根を上記畝に活着させることを特徴とするものである。
【００１０】
また、請求項２に記載の発明は、請求項１に記載の発明において、上記予備育成用容器内において上記カンゾウ属植物の種から上記定植苗を育成することを特徴とするものである。
【００１１】
さらに、請求項１または２に記載の発明において、請求項３に記載の発明は、上記予備育成用容器として、上記根を通過させず、かつ透水性を有する素材からなるポットまたは可撓性を有する袋を用いたことを特徴とするものであり、請求項４に記載の発明は、上記予備育成用容器として、生分解性樹脂からなるポットを用いたことを特徴とするものである。
【発明の効果】
【００１２】
請求項１〜４のいずれかに記載の発明によれば、予備育成用容器内において発育させた定植苗を圃場となる畝に植える際に、上記予備育成用容器の底部を除去して筒状にしているために、初期育成の段階において圃場から根への水分の毛管連絡が円滑に行われることにより伸長を促進させることができる。
【００１３】
加えて、予備育成用容器の底部を除去しているために、従来のように根の伸長に伴って容器の底面に沿って蜷局を巻いてしまうおそれがなく、圃場に向かって如何なる方向に伸長した場合においても、安定的に圃場へ活着させることができる。また、予備育成用容器において定植苗を育成した後に、これを畝に形成した凹部内に設置するために、畝への活着までの工程を機械化することも可能になる。
【００１４】
ところで、従来のカンゾウ属植物の育成方法においては、予備育成用容器で発育させる苗として、例えば上記特許文献１の図６に見られるように、一般的にストロン苗や培養苗が用いられているが、本発明者等の検証によれば、上記ストロン苗や培養苗にあっては、栽培２年目の春に発芽しない株が多いのに対して、実生苗ではこのような現象が起こり難いことが判った。
【００１５】
そこで、請求項２に記載の発明のように、上記予備育成用容器内においてカンゾウ属植物の種から定植苗を育成すれば、多年に亘って安定的にカンゾウ属植物の栽培を行うことが可能になる。
【図面の簡単な説明】
【００１６】
【図１】本発明の一実施形態において使用する予備育成用容器を示すもので、（ａ）は縦断面図、（ｂ）は底面図である。
【図２】本発明の一実施形態において予備育成用容器で定植苗を育成する状態を示す縦断面図である。
【図３】育成された定植苗を予備育成用容器とともに畝に設置する状態を示す縦断面図である。
【図４】予備育成用容器内の根を育成して圃場に活着させた状態を示す縦断面図である。
【図５】従来のカンゾウ属植物の育成方法における問題点を説明するための縦断面図である。
【発明を実施するための形態】
【００１７】
以下、図１〜図４に基づいて、本発明に係るカンゾウ属植物の育成方法の一実施形態について説明するが、本発明はこれに限定されるものではない。
図１は、本実施形態において使用する予備育成用容器を示すもので、この予備育成用容器１は、有底円錐状または有底角錐状の容器で、底板２の外周部には、後工程において当該底板２を取り外すためにミシン目３が予め形成されている。
【００１８】
そして、上記予備育成用容器１を用いて、先ず図２に示すように、閉鎖型の人工光植物生産装置内に設置したセルトレイ４の各マス目４ａ内に、培地５を入れた複数の予備育成用容器１を設置するとともに、この培地５にカンゾウ属植物の種を蒔いて発芽させる。
【００１９】
次いで、発芽したカンゾウ属植物の苗を発育させて定植苗６として十分な大きさになった際に、当該予備育成用容器１を機械的に吊り上げ、上記ミシン目３によって底板２を除去して筒状にした後に、図３に示すように、同様に上記人工光植物生産装置内の圃場となる畝７に形成した凹部７ａ内に設置する。
【００２０】
そして、この畝７から水分を毛管連絡によって定植苗６の根６ａへ供給し、当該根６ａを伸長させて、図４に示すように、畝７に活着させる。
【００２１】
このように、上記構成からなるカンゾウ属植物の育成方法によれば、予備育成用容器１内において種から発育させた定植苗を圃場となる畝７に植える際に、予備育成用容器１の底部２をミシン目３から除去して筒状にしているために、初期育成の段階において圃場から根６ａへの水分の毛管連絡が円滑に行われることにより、その伸長を促進させることができる。
【００２２】
しかも、予備育成用容器１の底部２を除去しているために、従来のように根の伸長に伴って容器の底面に沿って蜷局を巻いてしまうおそれがなく、畝７側に向かって如何なる方向に伸長した場合においても、安定的に畝７に活着させることができる。また、予備育成用容器１において定植苗を育成した後に、これを畝７に形成した凹部７ａ内に設置しているために、畝７への活着までの工程を機械化することも可能になる。
【００２３】
さらに、予備育成用容器１内において、カンゾウ属植物の種から定植苗を育成しているために、ストロン苗や培養苗から定植苗を育成した場合にように栽培２年目の春に発芽しない株が多くなるといった事が無く、多年に亘って安定的にカンゾウ属植物の栽培を行うことが可能になる。
【００２４】
加えて、上記予備育成用容器１における定植苗の育成から畝７への定植までの育成を、閉鎖型の人工光植物生産装置内において行っているために、露地育苗やハウス育苗に比べて大幅に育成時間を短縮することができるとともに、成苗率（育成した苗数に対する活用可能な苗数の比率）も大幅に向上させることができる。
【００２５】
また、前記方法で栽培した定植苗は、茎葉の生長が比較的小さい状態で圃場に移植することが可能となる。茎葉の成長が小さい状態で圃場に移植することにより、茎葉が絡まるなどして、作業性が損なわれることがない。さらに、予備育成用容器１において定植苗を育成した後に、底部２を取り外した上記予備育成用容器１を畝７に形成した凹部７ａ内に設置しているために、一連の作業の機械化を図ることも可能になる。
【００２６】
なお、上記実施形態においては、予備育成用容器１として、一般的なポットのような有底円錐状または有底角錐状の容器を用いた場合について説明したが、例えば、上記予備育成用容器として、根６ａを通過させず、かつ透水性を有する素材からなるポットまたは不織布等の袋を用いれば、当該予備育成用容器の側壁を通しても根６ａに水分を補給することが可能になる。
【００２７】
また、上記予備育成用容器として、生分解性樹脂からなるポットを用いれば、収穫時あるいは収穫後の回収の手間を削減することができる。
さらに、事前に予備育成用容器１の底部に小石などを敷設しておけば、底部２を取り外す際に内部の培地５が過度に脱落することを防止することもできる。
【符号の説明】
【００２８】
１  予備育成用容器
２  底板
５  培地
６  カンゾウ属植物の定植苗
６ａ  根
７  畝
７ａ  凹部
【図１】
2017195808.tif 000003
【図２】
2017195808.tif 000004
【図３】
2017195808.tif 000005
【図４】
2017195808.tif 000006
【図５】
2017195808.tif 000007